(57)【要約】【課題】待ち受け時間（消費電力）の悪化やユーザの能動的な行動を要求することなく、キャリア以外のローカルネットワークを確実に受信することができる無線通信端末、無線通信システム並びに動作制御プログラム及びそのプログラムを記録した記録媒体を提供する。【解決手段】携帯電話機１０は、キャリア以外の電波を送受信して無線通信を行うＢｌｕｅｔｏｏｔｈ無線部２９、及び自端末の現在位置情報を取得する位置情報取得部３１を備え、キャリア１は、アクセスポイントＡＰ６のローカルネットワーク使用可能エリアを蓄積するエリアデータベース（ＤＢ）８４、及びエリアアクセスの履歴情報を蓄積する履歴データベース（ＤＢ）８５を備え、主制御部２１は、検出した位置情報に基づいて、自端末がキャリア以外のネットワークであるＢｌｕｅｔｏｏｔｈ通信エリア内に入ることを判別し、該エリアに入ったとき、Ｂｌｕｅｔｏｏｔｈ無線部２９を自動的に起動（Ｗａｋｅ  ｕｐ）させ、該エリアから出たとき、Ｂｌｕｅｔｏｏｔｈ無線部２９の通電をＯＦＦする。【選択図】  図１
2004350108.tif 000002
【特許請求の範囲】
【請求項１】
キャリア以外の電波を送受信して無線通信を行う通信手段を備える無線通信端末において、
自端末の位置情報を検出する位置検出手段と、
前記検出した位置情報に基づいて、自端末が前記通信手段による通信が可能なエリア内に入ることを判別する判別手段と、
自端末が前記エリア内に入るとき、前記通信手段を使用可能状態にする制御を行う制御手段と
を備えることを特徴とする無線通信端末。
【請求項２】
前記通信手段は、小電力近距離双方向無線通信であることを特徴とする請求項１記載の無線通信端末。
【請求項３】
前記通信手段は、Ｂｌｕｅｔｏｏｔｈ、ＵＷＢ、又は無線ＬＡＮであることを特徴とする請求項１又は２に記載の無線通信端末。
【請求項４】
さらに、前記判別手段は、自端末が前記エリア内から出ることを判別し、
前記制御手段は、自端末が前記エリア内から出るとき、前記通信手段を使用不能状態にすることを特徴とする請求項１記載の無線通信端末。
【請求項５】
前記制御手段は、前記通信手段に通電して使用可能状態にし、前記通信手段への通電を停止して使用不能状態にすることを特徴とする請求項１又は４に記載の無線通信端末。
【請求項６】
さらに、前記通信手段と通信を行う複数のアクセスポイントの位置をデータベース化して記憶するエリア記憶手段を備え、
前記判別手段は、前記エリア内の前記アクセスポイントを判別し、
前記制御手段は、前記アクセスポイントを判別したとき、前記通信手段を前記キャリア以外のネットワークに接続することを特徴とする請求項１記載の無線通信端末。
【請求項７】
前記位置検出手段は、基地局ＩＤを用いて位置情報を検出する、ＧＰＳを利用して位置情報を検出する、又は、前記無線通信端末が利用される場所にあらかじめ設置された位置送信に特化した装置を用いて位置情報を検出する、若しくはこれらの組み合わせであることを特徴とする請求項１記載の無線通信端末。
【請求項８】
前記無線通信装置は、携帯電話機、ＰＨＳ、携帯情報端末、又はＦＷＡ端末であることを特徴とする請求項１乃至７のいずれか一項に記載の無線通信端末。
【請求項９】
キャリア以外のネットワークに接続される無線通信端末と、前記無線通信端末と前記キャリア以外のネットワークを介して接続され、情報配信サービスを行うサービスサーバとを備える無線通信システムにおいて、
前記無線通信端末は、請求項１乃至８のいずれか一項に記載の無線通信端末であることを特徴とする無線通信システム。
【請求項１０】
キャリア以外の電波を送受信して無線通信を行う通信手段を備える無線通信端末において、自端末の位置情報を検出し、前記検出した位置情報に基づいて、自端末が前記通信手段による通信が可能なエリア内に入ることを判別し、自端末が前記エリア内に入るとき、前記通信手段を使用可能状態にする制御処理をコンピュータに実行させるためのプログラム。
【請求項１１】
キャリア以外の電波を送受信して無線通信を行う通信手段を備える無線通信端末において、自端末の位置情報を検出し、前記検出した位置情報に基づいて、自端末が前記通信手段による通信が可能なエリア内に入ることを判別し、自端末が前記エリア内に入るとき、前記通信手段を使用可能状態にする制御処理をコンピュータに実行させるためのプログラムを記録したことを特徴とするコンピュータ読み取り可能な記録媒体。
【発明の詳細な説明】
【０００１】
【発明の属する技術分野】
本発明は、使用場所を移動することが可能な無線通信端末、無線通信システム並びに動作制御プログラム及びそのプログラムを記録した記録媒体に関し、詳細には、キャリア以外の電波を送受信して無線通信を行う通信機能を備える携帯電話機等の無線通信端末、及び無線通信システムに関する。
【０００２】
【従来の技術】
セルラシステムの自動車電話、携帯電話に代表される移動体通信は、近年普及の一途にあり、ＰＤＡ（Ｐｅｒｓｏｎａｌ  Ｄｉｇｉｔａｌ  Ａｓｓｉｓｔａｎｔｓ）機能付き等の多機能携帯電話機もますます普及するものと考えられる。
【０００３】
通常、携帯電話機は電源を入れておくと、基地局との交信状態などを使用者に明示的に知らせるために一定間隔で基地局との交信を行っており、電話による送話中、非送話中に関わらず電波が送信、受信されている。このため、電波が精密機器に影響を及ぼす可能性があるので病院はもちろんのこと、電車の中など携帯電話機の使用を禁止、制限されるような区域、状況が規定されている。一例を挙げると、満員状態の電車内で携帯電話機を使用することにより、密接する乗客の心臓ペースメーカーの誤作動の原因となる可能性がある。また、電磁波による悪影響ではないものの公演会などの会場にて着信音が鳴ることにより周囲の邪魔となることがある。
【０００４】
このような問題があるために、病院内や航空機内などの携帯電話機の発信禁止区域においては、携帯電話機の電源をＯＦＦにする方法が採られる。しかし、電源をＯＦＦとすることにより携帯電話のすべての機能が使用不可能となる問題があった。すなわち、電話番号情報に代表される携帯電話機に登録されている情報の閲覧など電磁波の発射とは無関係な非電話機能さえ使用不可能となってしまう問題である。例えば、病院内で携帯電話の電源をＯＦＦとしてるため、公衆電話を使用する場合に携帯電話機に登録してある電話番号情報を閲覧できない状況が生じてしまう。
【０００５】
このような問題を解決するための方法として、例えば特許文献１には、携帯電話機に送受信停止／解除ボタンを設け、強い電磁波を出す送受信機能のみを停止又は解除できるようにした携帯電話機が開示されている。また、例えば特許文献２には、無線通信禁止区域において電波を送受信する機能を停止させる装置が開示されている。さらに、特許文献３には、無線通信禁止区域では自動的に電源供給を切断する装置が開示されている。
【０００６】
一方、キャリア以外のローカルネットワークにアクセスできるシステムとして無線ＬＡＮやＢｌｕｅｔｏｏｔｈ、ＵＷＢ（Ｕｌｔｒａ  Ｗｉｄｅｂａｎｄ）が使用される。無線ＬＡＮは、無線ＬＡＮ機能を持つ携帯ノート型パソコン、ＰＤＡなどの携帯情報端末に幅広く用いられている。より低消費電力が要求される携帯電話機では、Ｂｌｕｅｔｏｏｔｈ，ＵＷＢなどの小電力近距離双方向無線通信方式が注目されている。Ｂｌｕｅｔｏｏｔｈは、マスタ（サーバ）とスレーブ（クライアント）との間で近距離の双方向無線通信を行うシステムであり、地球上のどこでも機器間の通信を可能にするため、全世界で使える２．４ＧＨｚ周波数帯を使用する。現在の規格での通信速度は１Ｍｂｐｓであり、将来的には１０Ｍｂｐｓへのバージョンアップを計画している。実質的なチャネルのレートは、３チャンネルまでの同期音声通信、または１チャンネルで音声とデータの同時通信が可能。非同期チャネルでは、７２１Ｋｂｐｓの双方向接続と５７．６Ｋｂｐｓの戻り方向接続、または４３２．６Ｋｂｐｓでの対称リンクをサポートしている。
【０００７】
Ｂｌｕｅｔｏｏｔｈを搭載した携帯端末として、例えば特許文献４では、携帯端末から所望のコンテンツを伝送するようにＢｌｕｅｔｏｏｔｈで情報ダウンロードサーバに要求し、情報ダウンロードサーバから暗号化を施した情報をＢｌｕｅｔｏｏｔｈで携帯端末に送信する。また、特許文献５では、店舗毎に設置された情報発信機１と、前記店舗の近傍において前記情報発信機１が配信する情報を受信する携帯端末２とからなり、前記情報発信機１と前記携帯端末２との間でＢｌｕｅｔｏｏｔｈにより情報コンテンツの配信を行う情報配信システムが開示されている。さらに、特許文献６では、サーバ側Ｂｌｕｅｔｏｏｔｈ機器は、クライアント側Ｂｌｕｅｔｏｏｔｈ機器とのコネクションが確立した際、配信情報データベースに記憶されている配信情報をクライアント側Ｂｌｕｅｔｏｏｔｈ機器へ配信する情報配信システムが開示されている。
【０００８】
【特許文献１】
特開平１１−２８４７２３号公報（図１）
【特許文献２】
特開平１１−２２５３７８号公報（図１）
【特許文献３】
特開平１０−３０４４４３号公報（図１）
【特許文献４】
特開２００２−７７１３０号公報（図１）
【特許文献５】
特開２００２−８４５７０号公報（図１）
【特許文献６】
特開２００１−３３９４０８号公報（図１）
【０００９】
【発明が解決しようとする課題】
携帯電話を使ってキャリア以外のローカルネットワークを使った情報配信サービスを考えるときに一番の問題になる点は待ち受け時間（消費電力）である。
【００１０】
従来の方法では、キャリア以外のローカルネットワークに対して常時待ち受けを行うことで、配信を行うエリア内に入った場合に配信された情報の入手が可能になる。あるいは、サインボード（掲示板）等によってその場所がキャリア以外のローカルネットワークの配信可能エリアであることをユーザが認識し、認識後にユーザが能動的にローカルネットワーク受信のためにモードをＯＮにする手法が採用されている。
【００１１】
しかしながら、常時待ち受けによる場合には、エリア外でも受信状態にする必要があるため、消費電力の増大により待ち受け時間が無くなるという欠点があった。
また、ユーザがローカルネットワーク使用可能エリアであるサインボード等を認識してモードをＯＮにする場合には、能動的な行動を要求するため情報提供の機会損失が発生する可能性があるという欠点があった。
【００１２】
本発明は、このような課題に鑑みてなされたものであって、待ち受け時間（消費電力）の悪化やユーザの能動的な行動を要求することなく、かつハード的な追加を行うことなくキャリア以外のローカルネットワークを確実に受信することができる無線通信端末、無線通信システム並びに動作制御プログラム及びそのプログラムを記録した記録媒体を提供することを目的としている。
【００１３】
【課題を解決するための手段】
本発明の無線通信端末は、キャリア以外の電波を送受信して無線通信を行う通信手段を備える無線通信端末において、自端末の位置情報を検出する位置検出手段と、前記検出した位置情報に基づいて、自端末が前記通信手段による通信が可能なエリア内に入ることを判別する判別手段と、自端末が前記エリア内に入るとき、前記通信手段を使用可能状態にする制御を行う制御手段とを備えることを特徴としている。
【００１４】
前記通信手段は、小電力近距離双方向無線通信であってもよい。
また、より好ましい具体的な態様として、前記通信手段は、Ｂｌｕｅｔｏｏｔｈ、ＵＷＢ、又は無線ＬＡＮである。
さらに、前記判別手段は、自端末が前記エリア内から出ることを判別し、前記制御手段は、自端末が前記エリア内から出るとき、前記通信手段を使用不能状態にするものであることが好ましい。
【００１５】
前記制御手段は、前記通信手段に通電して使用可能状態にし、前記通信手段への通電を停止して使用不能状態にするものであってもよい。
さらに、前記通信手段と通信を行う複数のアクセスポイントの位置をデータベース化して記憶するエリア記憶手段を備え、前記判別手段は、前記エリア内の前記アクセスポイントを判別し、前記制御手段は、前記アクセスポイントを判別したとき、前記通信手段を前記キャリア以外のネットワークに接続するものであってもよい。
【００１６】
前記位置検出手段は、基地局ＩＤを用いて位置情報を検出する、ＧＰＳを利用して位置情報を検出する、又は、前記無線通信端末が利用される場所にあらかじめ設置された位置送信に特化した装置を用いて位置情報を検出する、若しくはこれらの組み合わせであってもよい。
また、より好ましい具体的な態様として、前記無線通信装置は、携帯電話機、ＰＨＳ、携帯情報端末、又はＦＷＡ端末である。
【００１７】
本発明の無線通信システムは、キャリア以外のネットワークに接続される無線通信端末と、前記無線通信端末と前記キャリア以外のネットワークを介して接続され、情報配信サービスを行うサービスサーバとを備える無線通信システムにおいて、前記無線通信端末は、請求項１乃至８のいずれか一項に記載の無線通信端末であることを特徴としている。
【００１８】
また、本発明は、キャリア以外の電波を送受信して無線通信を行う通信手段を備える無線通信端末において、自端末の位置情報を検出し、前記検出した位置情報に基づいて、自端末が前記通信手段による通信が可能なエリア内に入ることを判別し、自端末が前記エリア内に入るとき、前記通信手段を使用可能状態にする制御処理をコンピュータに実行させるためのプログラムである。
【００１９】
さらに、本発明は、キャリア以外の電波を送受信して無線通信を行う通信手段を備える無線通信端末において、自端末の位置情報を検出し、前記検出した位置情報に基づいて、自端末が前記通信手段による通信が可能なエリア内に入ることを判別し、自端末が前記エリア内に入るとき、前記通信手段を使用可能状態にする制御処理をコンピュータに実行させるためのプログラムを記録したことを特徴とするコンピュータ読み取り可能な記録媒体である。
【００２０】
【発明の実施の形態】
以下、添付図面を参照しながら本発明の好適な無線通信端末及び無線通信システムの実施の形態について詳細に説明する。
図１は、本発明の実施の形態の無線通信システムの基本構成を示す図である。無線通信システムとして、無線通信端末とネットワークを介して接続されるサービスサーバとからなる無線通信システムに適用した例である。
図１において、１０は無線通信を行う携帯電話機／ＰＨＳ（Ｐｅｒｓｏｎａｌ  Ｈａｎｄｙ−Ｐｈｏｎｅ  Ｓｙｓｔｅｍ）や携帯情報端末（以下、ＰＤＡ（Ｐｅｒｓｏｎａｌ  Ｄｉｇｉｔａｌ  Ａｓｓｉｓｔａｎｔｓ）という）などの無線通信端末であり、無線通信端末１０はキャリア以外のネットワークを使った情報配信サービスとしてＢｌｕｅｔｏｏｔｈサービスを受信可能なＢｌｕｅｔｏｏｔｈ送受信機能を備える。図１では、無線通信端末１０として携帯電話機を例に採っている。
【００２１】
無線通信システムは、キャリアサーバ１と、キャリアサーバ１に接続される専用回線からなるキャリア網２と、キャリア網２に接続される携帯電話機の複数の基地局３、基地局３と無線通信を行うとともにＢｌｕｅｔｏｏｔｈ送受信機能を備える複数の携帯電話機１０（無線通信端末）と、情報配信サービスのためのサーバ４（情報提供装置）、高速専用通信回線５を通して情報配信サービスサーバ４に接続されるＢｌｕｅｔｏｏｔｈ送受信のための複数のアクセスポイントＡＰ（Ａｃｃｅｓｓ＃Ｐｏｉｎｔ）６と、情報配信サービスサーバ４とキャリアサーバ１とを接続するインターネット又は専用回線からなるネットワーク網７とを備えて構成される。
【００２２】
アクセスポイントＡＰ（Ａｃｃｅｓｓ＃Ｐｏｉｎｔ）６は、例えばコンビニエンスストア，ファミリーレストラン，レコード店，ガソリンスタンドなど各種店舗のレジスタ（金銭登録機）に設置され、高速専用通信回線５を通して情報配信サービスサーバ４に接続される。本実施の形態では、アクセスポイントＡＰ６をレジスタに設置した例であるが、これは一例にすぎず、レジスタ以外のアクセスポイントＡＰでもよいことは言うまでもない。ここでは、アクセスポイントＡＰ６ａは、コンビニエンスストアに設置されたレジスタであり、エリアＡがそのＢｌｕｅｔｏｏｔｈによるローカルネットワーク使用可能エリアである。同様に、アクセスポイントＡＰ６ｂは、ファミリーレストランに設置されたレジスタによるローカルネットワーク使用可能エリアＢを、アクセスポイントＡＰ６ｃは、レコード店に設置されたレジスタによるローカルネットワーク使用可能エリアＣを、アクセスポイントＡＰ６ｄは、ガソリンスタンドに設置されたレジスタによるローカルネットワーク使用可能エリアＤをそれぞれ形成する。
【００２３】
キャリアサーバ１は、基地局３をキャリア網２で結ぶキャリアのネットワーク上のサーバである。キャリアサーバ１は、キャリアのサーバとしての機能のほかに、携帯電話機１０の発する情報から現在位置の情報に変換して基地局３を介して携帯電話機１０に送信する機能を有する。さらに、キャリアサーバ１は、各アクセスポイントＡＰ６のローカルネットワーク使用可能エリアを蓄積するエリアデータベース８４（図６により後述する）を備え、ネットワーク網７を通して情報配信サービスサーバ４からアクセスポイントＡＰ６のローカルネットワーク使用可能エリア情報を取得し、エリアデータベース８４に蓄積する。
【００２４】
キャリア網２及び／又はネットワーク網７は、移動体通信網、公衆電話網、ＬＡＮやインターネットなどから構成するネットワークであり、有線系又は無線系などネットワークの種類とプロトコルの種類は特に問わない。また、キャリア網２のアクセス回線としてはＦＴＴＨ（Ｆｉｂｅｒ  Ｔｏ  Ｔｈｅ  Ｈｏｍｅ）、ＨＦＣ（Ｈｙｂｒｉｄ  Ｆｉｂｅｒ  Ｃｏａｘ：光同軸ケーブル）、及びＡＤＳＬ（Ａｓｙｍｍｅｔｒｉｃ  Ｄｉｇｉｔａｌ  Ｓｕｂｓｃｒｉｂｅｒ  Ｌｉｎｅ）／ＶＤＳＬ（Ｖｅｒｙ  ｈｉｇｈ  ｄａｔａ  ｒａｔｅ  Ｄｉｇｉｔａｌ  Ｓｕｂｓｃｒｉｂｅｒ  Ｌｉｎｅ）等の大容量回線が利用可能である。
【００２５】
基地局３は、複数の携帯電話機１０からの電波をアンテナを経由して送受信し、キャリア網２を通じてキャリアサーバ１に接続される。キャリア網２及び基地局３は、携帯電話機１０において情報の送受信を行う際に、自端末と相手端末を接続する。
【００２６】
情報配信サービスサーバ４は、携帯電話機１０からの要求に従い、コンテンツデータベース６３（図４により後述する）に蓄積されたデータを、高速専用通信回線５及びアクセスポイントＡＰ（Ａｃｃｅｓｓ＃Ｐｏｉｎｔ）６通して携帯電話機１０に配信する。
【００２７】
図１では、１つの携帯電話機１０と２つの基地局３、４つのアクセスポイントＡＰ６を図示しているが、任意の数の携帯通信端末と基地局及びアクセスポイントＡＰで構成することが可能であり、また、携帯電話機１０の種類はどのようなものでもよい。
【００２８】
携帯電話機１０は、キャリア以外のネットワークに接続可能な携帯端末であればよく、上記携帯電話機に限らず、ＰＨＳやＰＤＡなどの携帯情報端末でもよい。また、ＰＣＭＣＩＡカード，ＣＦカード形状のＢｌｕｅｔｏｏｔｈ接続装置など、形態は限定されない。さらに、キャリア以外のローカルネットワークにアクセスできるシステムとしてＢｌｕｅｔｏｏｔｈには限定されず、ＵＷＢや無線ＬＡＮでもよい。また、ＦＷＡ（Ｆｉｘｅｄ  Ｗｉｒｅｌｅｓｓ  Ａｃｃｅｓｓ）端末のような、使用場所を移動することが可能な無線通信端末も含まれる。
【００２９】
図２は、上記携帯電話機１０の構成を示すブロック図であり、カメラ付き携帯電話機の無線通信端末に適用した例である。
図２において、カメラ付き携帯電話機１０（無線通信端末）は、本装置全体を制御するＣＰＵからなる主制御部２１（判別手段，制御手段）、制御プログラムや固定データ等を記憶するＲＯＭ，ＣＰＵの作業用記憶領域であるＲＡＭ等の半導体メモリ及びハードディスクなどからなり受信又は入力された文字情報、画像情報、音声信号を記憶する記憶部２２、キャリア用無線通信を行うためのアンテナ２３、電波を送受信して無線通信を行うＲＦ無線部２４、ＲＦ無線部２４を制御する通信制御部２５、ＲＦ無線部２４及び各モジュールに電源を供給する電源部２６、電源部２６を制御する電源制御部２７、Ｂｌｕｅｔｏｏｔｈ用無線通信を行うためのアンテナ２８、電波を送受信して無線通信を行うＢｌｕｅｔｏｏｔｈ無線部２９（通信手段）、Ｂｌｕｅｔｏｏｔｈ無線部２９を制御するＢｌｕｅｔｏｏｔｈ通信制御部３０、自端末の現在位置情報を取得する位置情報取得部３１（位置検出手段）、音声を入力するためのマイク３２、着信音や受話，キープッシュ音等を鳴らすスピーカ３３、受信信号及びマイク３２からの入力音声信号をデジタル信号処理する音声コーデックを備える通話制御部３４、操作のためのガイダンスや受信情報をカラー表示する液晶パネルからなる表示部３５、表示部３５を駆動制御する表示制御部３６、ユーザからのキー操作情報を入力生成する操作部３７、対象となる画像情報を入力するカメラからなる撮像部３８、及び撮像部３８を制御する撮像制御部３９を備えて構成される。
【００３０】
主制御部２１は、マイクロコンピュータ等により構成され、装置全体の制御を行うとともに、ＲＦ無線部２４の動作状態を制御する通信制御部２５、Ｂｌｕｅｔｏｏｔｈ無線部２９の動作状態を制御するＢｌｕｅｔｏｏｔｈ通信制御部３０、ＲＦ無線部２４及び／又はＢｌｕｅｔｏｏｔｈ無線部２９の通電を制御する電源制御部２７、記憶部２２、位置情報取得部３１、通話制御部３４、表示制御部３６、操作部３７、及び撮像制御部３９の動作を制御する。
【００３１】
特に、主制御部２１は、Ａｃｃｅｓｓ＃Ｐｏｉｎｔが存在するセルに位置することを判定し、キャリア以外のネットワークであるＢｌｕｅｔｏｏｔｈ通信エリアに入ったとき、Ｂｌｕｅｔｏｏｔｈ無線部２９を自動的に通電（Ｗａｋｅ  ｕｐ）させ、該エリアから出たとき、Ｂｌｕｅｔｏｏｔｈ無線部２９の通電をＯＦＦする制御を行う。具体的な動作については図７のフローにより後述する。
【００３２】
記憶部２２は、ＲＯＭ、ＲＡＭ及び電気的に書換可能な不揮発性メモリであるＥＥＰＲＯＭ（ｅｌｅｃｔｒｉｃａｌｌｙ  ｅｒａｓａｂｌｅ  ｐｒｏｇｒａｍｍａｂｌｅ  ＲＯＭ）であり、主制御部２１のプログラム、通信制御データ、さらにカメラ付き携帯電話機１０の撮像データ等の種々のデータを記憶する。
【００３３】
ＲＯＭは、主制御部２１が動作する際に必要なプログラム、通信制御データ等の固定データを記憶する読出し専用の半導体メモリである。ＲＡＭは、通信に関するデータ、演算に使用するデータ及び演算結果等を一時的に記憶するいわゆるワーキングメモリとして使用される。携帯電話機１０で処理されるプログラムは、このＲＡＭに展開されて実行される。また、ＲＡＭの一部は、電気的に書換可能な不揮発性メモリであるＥＥＰＲＯＭ（ｅｌｅｃｔｒｉｃａｌｌｙ  ｅｒａｓａｂｌｅ  ｐｒｏｇｒａｍｍａｂｌｅ  ＲＯＭ）からなり、ＥＥＰＲＯＭに書き込むプログラムを変えることによって、特に携帯電話機１０における各種の仕様を変更することができる。すなわち、最近ではシステム開発のデバッグごとにマスクＲＯＭを変更する時間損失を回避するため、プログラムＲＯＭを不揮発性メモリ、例えばＥＰＲＯＭ，ＥＥＰＲＯＭとし、プログラム開発・修正時間の短縮の大幅な短縮を図っている。また、プログラムをダウンロードしてＥＥＰＲＯＭのプログラム内容を書き換えるようにすれば機能のアップグレードや機能の変更を容易に行うことが可能になる。
【００３４】
通信制御部２５は、無線移動通信網との通信を行うための機能部であり、マイク３２から入力された音声信号を送受信無線周波数（ＲＦ）に変調してアンテナ２３から輻射する送信機、アンテナ２３からの送受信無線周波数（ＲＦ）帯の信号を受信する受信機、多重化された信号を変調し、変調された信号を送受信機に出力するとともに、送受信機により無線受信された信号を復調する変復調部、パワーアンプ等からなる。ＲＦ無線部２４は、上記送受信機を構成する。
アンテナ２８は、Ｂｌｕｅｔｏｏｔｈ通信制御部３０により変換した信号を送信したり、外部から電波を受信する。本アンテナ２８もＢｌｕｅｔｏｏｔｈ通信用である。
【００３５】
Ｂｌｕｅｔｏｏｔｈ通信制御部３０は、信号の拡散や変調、フィルタリング等の処理を行うもので、主に極超短波（ＳＨＦ）によるスペクトル拡散方式を使用し、低出力での半径数十ｍの範囲での通信を行う。例えば、２．４ＧＨｚ帯の周波数を使いスペクトル拡散を用いた多元接続（ＣＤＭＡ：Ｃｏｄｅ  Ｄｉｖｉｓｉｏｎ  Ｍｕｌｔｉｐｌｅ  Ａｃｃｅｓｓ）通信方式を使用する。
【００３６】
Ｂｌｕｅｔｏｏｔｈ無線部２９は、ユーザデータ又はユーザプロファイルを極超短波（ＳＨＦ）に変調してアンテナ２８から輻射する送信機、アンテナ２８からの送受信極超短波（ＳＨＦ）の信号を受信する受信機等からなる無線部と、多重化された信号を変調し、変調された信号を無線部に出力するとともに、無線部により無線受信された信号を復調する変復調部とから構成される。
【００３７】
上記Ｂｌｕｅｔｏｏｔｈ無線部２９及びＢｌｕｅｔｏｏｔｈ通信制御部３０は、キャリア用の通信制御部２５とは使用周波数帯や変調方式等が異なるため別個の無線制御部を設ける必要がある。Ｂｌｕｅｔｏｏｔｈ通信制御部３０は、携帯電話機用であるが汎用的な無線通信システムにすることも可能である。
【００３８】
位置情報取得部３１は、基地局３及びネットワークを介してキャリアサーバ１と情報の送受信を行い、接近確認から自端末の現在位置情報を取得する。あるいは、位置情報取得部３１は、例えば位置情報の電波をＧＰＳ（Ｇｌｏｂａｌ  Ｐｏｓｉｔｉｏｎｉｎｇ  Ｓｙｓｔｅｍ）衛星等から受信するＧＰＳアンテナを備え、ＧＰＳアンテナを介して受信した情報より、現在位置情報を、緯度／経度の２つのパラメータとして算出するＧＰＳ機能により位置情報を取得する。
【００３９】
通話制御部３４は、内部の音声コーデックにより受信信号及びマイク３２からの入力音声信号をデジタル信号処理する。マイク３２からの入力音声信号は、図示しない増幅器で必要に応じて入力音声信号の増幅処理が行われる。この音声コーデックは、デジタル信号処理された受信信号をこの増幅器で必要に応じて増幅処理を行ってスピーカ３３によって音声出力する。また、通話制御部３４は、通話回線からのエコーを消去するためのエコーキャンセラを備えている。
【００４０】
表示部３５は、ドットマトリクス構成のカラー表示可能なＬＣＤディスプレイ，バックライトであるＰＤＰ，ＥＬ及び各ドライバ等で構成される。例えば、待機時には時刻が表示され、また通話時には通話相手の電話番号や通話時間が表示される。また、必要に応じて表示用照明（バックライト）が点灯又は点滅する。
【００４１】
操作部３７は、着信，発信，電話機能切り替え，動作決定等を行う電話機能キー、各種機能を切り替えるためのモードキー、上下左右の方向に選択対象を移動させるカーソルキー、カメラの入力を決定するシャッターボタンであるシャッターキー、及び電話番号の入力等ダイヤルするためのメンブレンキー（Ｍｅｍｂｒａｎｅ  ｋｅｙ）からなるダイヤルキーから構成される。
【００４２】
撮像部３８は、携帯電話機１０に内蔵された例えば３４万画素のＣＣＤ（Ｃｈａｒｇｅ  Ｃｏｕｐｌｅｄ  Ｄｅｖｉｃｅ）（エリア型固体撮像素子）カメラである。撮像部３８は、単焦点レンズを有し、通常撮影時とマクロ撮影時とで焦点深度が切換えられる。
【００４３】
図３は、上記アクセスポイントＡＰ６が設置されるレジスタ（金銭登録機）の通信部の構成を示すブロック図である。
図３において、レジスタ４０は、本装置全体及びドロア等を制御するＣＰＵからなる主制御部４１、制御プログラムや固定データ等を記憶するＲＯＭ，ＣＰＵの作業用記憶領域であるＲＡＭ等の半導体メモリなどからなり売上データ，演算に使用するデータ及び演算結果を記憶する記憶部４２、キャリア用無線通信を行うためのアンテナ４３、電波を送受信して無線通信を行うＲＦ無線部４４、ＲＦ無線部４４を制御する通信制御部４５、各モジュールに電源を供給する電源部４６、電源部４６を制御する電源制御部４７、Ｂｌｕｅｔｏｏｔｈ用無線通信を行うためのアンテナ４８、電波を送受信して無線通信を行うＢｌｕｅｔｏｏｔｈ無線部４９、Ｂｌｕｅｔｏｏｔｈ無線部４９を制御するＢｌｕｅｔｏｏｔｈ通信制御部５０、高速専用通信回線５を通して情報配信サービスサーバ４に接続するための回線インタフェース５１、受信情報をカラー表示する液晶パネルからなる表示部５２、表示部５２を駆動制御する表示制御部５３、及びキー操作情報を入力生成する操作部５４を備えて構成される。
【００４４】
また、図示は省略するが、レジスタ４０は、記憶部４２に記憶された一登録分メモリ、小計メモリ等の各種データをジャーナル用紙及びレシート用紙に印字する印字部、現金を収納し現金／預かり金キー等が操作された際に開放されるドロアがそれそれ接続されている。
【００４５】
また、操作部５４には、そのキーボード上に置数キー、ＰＬＵキー、現金キー、その他のファンクションキー等の操作キーが設けられているほか、「設定（Ｐ）」、「登録（ＲＥＧ）」、「電源オフ（ＯＦＦ）」、「点検（Ｘ）」、「精算（Ｚ）」の各モードに指定するモードスイッチＭＳが設けられている。
【００４６】
上記アンテナ４３、ＲＦ無線部４４、通信制御部４５、電源部４６、電源制御部４７、アンテナ４８、Ｂｌｕｅｔｏｏｔｈ無線部４９及びＢｌｕｅｔｏｏｔｈ通信制御部５０は、図２で説明した携帯電話機１０の対応する各部と同様の構成であるため説明を省略する。
また、上記アンテナ４３、ＲＦ無線部４４及び通信制御部４５は、キャリアにアクセスしない場合には省略が可能である。
【００４７】
図４は、情報配信サービスサーバ４の構成を示すブロック図である。
図４において、情報配信サービスサーバ４は、サーバ全体の制御及び情報配信機能、携帯電話機１０ユーザからの要望を把握して提供情報を作成し、該情報を提供するサービス提供処理を実現するコンピュータからなる主制御部６１と、高速専用通信回線５を通してアクセスポイントＡＰ６（ＡＰ６ａ，ＡＰ６ｂ，ＡＰ６ｃ，ＡＰ６ｄ）に接続しデータの送受信を行うための回線インターフェース６２と、音楽情報や画像情報などの各種提供コンテンツを蓄積するコンテンツデータベース６３、情報を表示する液晶パネルからなる表示部６４と、表示部６４を駆動制御する表示制御部６５、及びキーボードやマウス等のポインティングデバイスからなり操作情報を入力生成する操作部６６を備えて構成される。
【００４８】
コンテンツデータベース６３は、キャリア以外のネットワークを使った情報配信サービスを実現するための各種コンテンツを蓄積するデータベースであり、アクセスポイントＡＰ６からの管理情報を蓄積する管理データベースから独立して構成し、データリンクにより連携するものでもよい。
【００４９】
図５は、キャリアサーバ１の構成を示すブロック図である。
図５において、キャリアサーバ１は、キャリア又はその手続を代行する事業者であり、キャリア網２に接続され、キャリア網全般を制御するメインサーバ７０と、インターネット又は専用回線からなるネットワーク網７に接続され、各種サービス（ここではエリア告知サービス）機能を有するサービスサーバ８０とを備え、メインサーバ７０とサービスサーバ８０とはデータを授受して連携動作が可能である。
【００５０】
メインサーバ７０は、キャリア全体の制御及び位置送信処理を実現するコンピュータからなる主制御部７１、キャリア網２に接続するための回線インターフェース７２、サービスサーバ８０との間でデータを送受信するデータ送受信部７３、加入者の電話番号や属性、関連情報等の顧客管理情報を蓄積する管理データベース（ＤＢ）７４、位置情報提供を行うための位置情報データベース７５を備えて構成される。この管理データベース７４は、キャリアサービスを実現するための各種パラメータを蓄積する設定データベースと、顧客管理情報を蓄積する管理データベースとを独立して構成し、データリンクにより連携するものでもよい。また、位置情報データベース７５は、メインサーバ７０の外部にあってデータリンクにより連携するものでもよい。位置情報データベース７５は、携帯電話機１０の位置情報取得部３１と共に、携帯電話機１０の現在位置情報を検出する位置位置検出手段の一部を構成する。
【００５１】
サービスサーバ８０は、サーバ全体を制御するコンピュータからなる制御部８１、ネットワーク網７に接続され、例えばインターネット上のＵＲＬ（Ｕｎｉｆｏｒｍ  Ｒｅｓｏｕｒｃｅ  Ｌｏｃａｔｏｒｓ）にアクセスされたデータを送受信する通信インタフェース８２、メインサーバ７０との間でデータを送受信するデータ送受信部８３、各アクセスポイントＡＰ６のローカルネットワーク使用可能エリアを蓄積するエリアデータベース（ＤＢ）８４（エリア記憶手段）、及びエリアアクセスの履歴情報を蓄積する履歴データベース（ＤＢ）８５（エリア記憶手段）を備えて構成される。
【００５２】
エリアデータベース（ＤＢ）８４は、携帯電話機１０のキャリアネットワークを構成する複数の小さなセルそれぞれに対して、アクセスポイントＡＰ（Ａｃｃｅｓｓ＃Ｐｏｉｎｔ）６と呼ぶ情報発信基地局が位置する場所との関係をデータベース（ＤＢ）化して記憶する。
【００５３】
図６は、上記エリアデータベース（ＤＢ）８４の構成を示す図である。エリアデータベース（ＤＢ）８４は、携帯電話機１０のキャリアネットワークを構成する複数の小さなセルそれぞれに対して、Ａｃｃｅｓｓ＃Ｐｏｉｎｔと呼ぶ情報発信基地局が位置する場所との関係をリンクしたデータベースである。
【００５４】
図６において、エリアデータベース８４は、データ受信可能なエリア名９１、エリア位置（東経，北緯，有効半径）９２、エリア内アクセスポイント９３、ネットワーク種別９４の情報をデータベース化して記憶する。この例では、データ受信可能なエリアＡは、エリア位置（東経１３９°３３′４１．０１５６″，北緯３５°４０′４６．２９５３″，有効半径：５０ｍ）にあり、そのエリア内アクセスポイントにはＡＰ１，ＡＰ２があり、そのネットワーク種別はＢｌｕｅｔｏｏｔｈ＝１である情報が蓄積されている。また、データ受信可能なエリアＢは、エリア位置（東経１３９°３３′４１．０２２７″、北緯３５°４０′４６．２９５３″，有効半径：５０ｍ）にあり、そのエリア内アクセスポイントにはＡＰ１，ＡＰ３があり、そのネットワーク種別はＢｌｕｅｔｏｏｔｈ＝１である情報が蓄積されている。以上は、エリアデータベース（ＤＢ）の構築の一例であり、これに限定されるものではない。例えばネットワーク種別９４は省略される構成でもよく、このエリアデータベース８４にデータ種別やアクセス可能端末の種別情報をリンクさせる構成でもよい。
【００５５】
以下、上述のように構成された無線通信端末の動作を説明する。
図７及び図８は、Ｂｌｕｅｔｏｏｔｈサービス受信可能エリアを告知する無線通信端末の動作を示すフローチャートであり、図２の主制御部２１により実行される。図中、Ｓはフローの各ステップを示す。
【００５６】
この例では、無線通信端末として携帯電話機１０を想定し、サービス受信可能エリアとしてＢｌｕｅｔｏｏｔｈアクセスポイントとなるレジスタ、位置情報として基地局３及びネットワークを介してキャリアサーバ１と基地局ＩＤ等の情報の送受信を行い、接近確認から自端末の現在位置情報を取得する。
【００５７】
すなわち、キャリアサーバ１より通知される位置情報は、携帯電話機１０のＲＦ無線部２４により受信され、位置情報取得部３１に渡される。このとき、位置情報取得部３１が受け取った位置情報が、前回受信時のものと同じならば、特別な処理は行われない。しかし、受け取った位置情報が前回受信時のものと異なる場合には、位置情報取得部３１は携帯電話機１０が移動したと判断し、以降で説明するエリア判定処理を行う。
【００５８】
まず、ステップＳ１でキャリア以外のネットワークについてのモード確認を行う。モード確認では、携帯電話機１０がＢｌｕｅｔｏｏｔｈ  ＯＮ状態、Ｂｌｕｅｔｏｏｔｈ  ＯＦＦ状態、又はウェイクアップ（Ｗａｋｅ  ｕｐ）モードにあるかを確認する。Ｗａｋｅ  ｕｐモードは、ユーザによりあらかじめ設定／解除される。また、このモード設定ではＢｌｕｅｔｏｏｔｈ機能の常時ＯＮ、Ｂｌｕｅｔｏｏｔｈ機能の常時ＯＦＦが設定可能である。上記ステップＳ１のモード確認でＢｌｕｅｔｏｏｔｈ  ＯＮ又はＢｌｕｅｔｏｏｔｈ  ＯＦＦのときは以降のステップに進まずにＢｌｕｅｔｏｏｔｈ  ＯＮ状態又はＢｌｕｅｔｏｏｔｈ  ＯＦＦ状態を継続する。Ｗａｋｅ  ｕｐモードのときは、ステップＳ２でＷａｋｅ  ｕｐモードをＯＮにし、ステップＳ３で履歴データベース（ＤＢ）８５を解析する。履歴データベース（ＤＢ）８５は、携帯電話機１０とキャリアネットワークを構成する複数の小さなセル又は各アクセスポイントＡＰとのアクセス状況を蓄積しており、履歴データベース（ＤＢ）８５を解析することによって、具体的にはステップＳ３Ａに示すように携帯電話機１０が高速移動されるエリア、長時間移動のないエリア、アクセスポイントＡＰを発見しないエリアなどを判定することができる。
【００５９】
ステップＳ４では、上記履歴データベース（ＤＢ）８５解析結果を基に、対象外エリアを設定する。ここで、エリアとは、携帯電話機１０がキャリア以外のネットワークと通信可能なエリアであり、対象外エリアとは、通信可能であるがユーザがアクセスポイントに近づかないことが過去履歴から推察されるエリアである。
【００６０】
次いで、ステップＳ５で携帯電話機１０のエリア移動をチェックし、エリア移動であればステップＳ６で携帯電話機１０が対象外エリアか否かを判別する。対象外エリアでなければ、ステップＳ７でエリアデータベース（ＤＢ）８４を参照し、ステップＳ８でエリア内にアクセスポイントＡＰがあるか否かを判別する。例えば、図６に示すエリアデータベース（ＤＢ）８４が構築されている場合、携帯電話機１０が対象外エリアであるエリアＡにあるときは、エリＡ内にアクセスポイントＡＰ１，ＡＰ２があることが判別される。上記ステップＳ５でエリア移動でないとき、上記ステップＳ６で対象外エリアにあるとき、あるいは、上記ステップＳ８でエリア内にアクセスポイントＡＰがないときは上記ステップＳ５に戻って上述した処理を繰り返す。
【００６１】
上記ステップＳ８でエリア内にアクセスポイントＡＰがあるときは、ステップＳ９で携帯電話機１０のＢｌｕｅｔｏｏｔｈ  ＯＮとし、ステップＳ１０でこのアクセスポイントＡＰのアクセス履歴を履歴データベース８５に登録する。Ｂｌｕｅｔｏｏｔｈ  ＯＮとは、具体的には図２に示すＢｌｕｅｔｏｏｔｈ無線部２９に通電し、Ｂｌｕｅｔｏｏｔｈ待ち受け状態にすることである。これにより、Ａｃｃｅｓｓ＃Ｐｏｉｎｔが存在するセルに位置するときに、ユーザの手を煩わすことなく自動的にＢｌｕｅｔｏｏｔｈが待ち受け状態になる。例えば、図１に示すように、ユーザが携帯する携帯電話機１０がアクセスポイントＡＰ６ａがあるコンビニエンスストアがあるエリアＡに近づくと、エリアＡに入ったことが判定され、Ｂｌｕｅｔｏｏｔｈ  ＯＮとなってＷａｋｅ  ｕｐし、Ｂｌｕｅｔｏｏｔｈ待ち受け状態となる。
【００６２】
図８のフローに戻って、ステップＳ１１でエリア内のアクセスポイントＡＰを発見したか否かを判別し、アクセスポイントＡＰを発見しなかったときはステップＳ１２で携帯電話機１０のエリア移動をチェックし、エリア移動であればステップＳ１３で携帯電話機１０が対象外エリアか否かを判別する。対象外エリアでなければ、ステップＳ１４でエリアデータベース（ＤＢ）８４を参照し、ステップＳ１５でエリア内にアクセスポイントＡＰがあるか否かを判別する。
【００６３】
上記ステップＳ１３で対象外エリアであるときは、スタート（ステップＳ１）に戻る。上記ステップＳ１２でエリア移動でないとき、又は上記ステップＳ１５でエリア内にアクセスポイントＡＰがあるときは上記ステップＳ１１に戻り、エリア内のアクセスポイントＡＰを発見するまで上述した処理を繰り返す。なお、所定回数繰り返してもエリア内のアクセスポイントＡＰを発見できないときはタイムアウトとして本フローを終了するステップを設けてもよい。
【００６４】
上記ステップＳ１１でエリア内のアクセスポイントＡＰを発見したときは、Ｂｌｕｅｔｏｏｔｈによるキャリア以外のネットワークを使った情報配信サービスにアクセス可能であると判断してステップＳ１６でＢｌｕｅｔｏｏｔｈ無線部２９がＢｌｕｅｔｏｏｔｈアクセスポイントＡＰ及び高速専用通信回線５を通して情報配信サービスサーバ４との間でＰＵＳＨ情報受信を開始する。ＰＵＳＨ情報受信開始は、アクセス要求送信とその応答受信、ＩＤ認証後のデータ受信などである。データ受信が適切に行われるとステップＳ１７でＰＵＳＨ情報受信を終了する。また、図示は省略しているが、エリアに入り自動で配信された情報を受信した場合には、表示部３５によるメッセージ表示、スピーカ３３による音又は音声による報知、さらには図示しないＬＥＤによる発光等によって、ユーザに情報配信サービスを受信した旨を知らせる態様が好ましい。
【００６５】
ステップＳ１８では、エリアデータベース（ＤＢ）８４の更新のバージョン（Ｖｅｒｓｉｏｎ）をチェックし、エリアデータベース（ＤＢ）８４が旧バージョンであればステップＳ１９でリアデータベース（ＤＢ）８４を更新してスタート（ステップＳ１）に戻る。エリアデータベース（ＤＢ）８４が最新バージョンであればそのままスタート（ステップＳ１）に戻る。
【００６６】
以上のように、本実施の形態の携帯電話機１０は、主制御部２１、キャリア以外の電波を送受信して無線通信を行うＢｌｕｅｔｏｏｔｈ無線部２９、Ｂｌｕｅｔｏｏｔｈ無線部２９を制御するＢｌｕｅｔｏｏｔｈ通信制御部３０、及び自端末の現在位置情報を取得する位置情報取得部３１を備え、キャリア１は、アクセスポイントＡＰ６のローカルネットワーク使用可能エリアを蓄積するエリアデータベース（ＤＢ）８４、及びエリアアクセスの履歴情報を蓄積する履歴データベース（ＤＢ）８５を備え、主制御部２１は、検出した位置情報に基づいて、自端末がキャリア以外のネットワークであるＢｌｕｅｔｏｏｔｈ通信エリア内に入ることを判別し、該エリアに入ったとき、Ｂｌｕｅｔｏｏｔｈ無線部２９を自動的に起動（Ｗａｋｅ  ｕｐ）させ、さらにエリア内でアクセスポイントＡＰ６を発見すると、情報配信サービスサーバ４に接続してコンテンツを受信し、また該エリアから出たとき、Ｂｌｕｅｔｏｏｔｈ無線部２９の通電をＯＦＦする制御を行うので、アクセスポイントＡＰ（Ａｃｃｅｓｓ＃Ｐｏｉｎｔ）が存在するセルに位置するときＢｌｕｅｔｏｏｔｈが待ち受け状態になり、Ａｃｃｅｓｓ＃Ｐｏｉｎｔがあるエリアに入ったら自動で配信された情報を受信し、かつユーザにその旨を知らす携帯電話機１０側のアクションを発生させることができる。また、Ａｃｃｅｓｓ＃Ｐｏｉｎｔがあるエリアから出た場合には、自動でＢｌｕｅｔｏｏｔｈ無線部２９の通電をＯＦＦすることができる。
【００６７】
これにより、常時待ち受けによる待ち受け消費電力の増大を防ぐことができるとともに、配信を行うエリア内に入った場合にはＢｌｕｅｔｏｏｔｈが自動的に起動（Ｗａｋｅ  ｕｐ）するので情報提供の機会損失を未然に防ぐことができる。また、ユーザが能動的にＢｌｕｅｔｏｏｔｈ無線部２９の通電をＯＮ／ＯＦＦ必要がなくなるためユーザの手を煩わすことなく、使い勝手を大幅に向上させることができる。
【００６８】
例えば、Ａｃｃｅｓｓ＃Ｐｏｉｎｔが無い地域に住んである地域で働く（学ぶ）生活パターンを持つユーザに対して、エリア内のＡｃｃｅｓｓ＃Ｐｏｉｎｔに自動的に接続できるので消費電力を気にすることなく情報配信の利点を享受することが可能となる。
【００６９】
特に、本実施の形態では、エリアに入ったとき、ＢｌｕｅｔｏｏｔｈをＷａｋｅ  ｕｐさせた後、エリア内でＡｃｃｅｓｓ＃Ｐｏｉｎｔを見つけ出し、情報配信サービスサーバ４に接続してコンテンツを受信するので、より効率よく情報配信サービスを享受することができる。
【００７０】
さらに、本実施の形態では、携帯電話機がもつキャリアのネットワークのメカニズムを利用することで、ハード的な追加無しで、コストアップを招くことなく容易に実施できる効果がある。
【００７１】
ここで、上述した実施の形態では、キャリアサーバ１にエリアデータベース８４を設置する構成を示したが、これには限定されず、キャリアサーバ１と独立してエリアデータベース８４を設置する態様でもよい。一般に、キャリア事業者と異なる事業主体が、本制御を実施する場合にはキャリアサーバ１とは独立した場所にエリアデータベース８４及び履歴データベース８５が設置される。
【００７２】
また、本実施の形態では、キャリアサーバ１側にエリアデータベース８４を設置しているが、エリアデータベース８４のデータ内容を携帯電話機１０の記憶部２２に記憶する構成でもよい。このように構成すれば、キャリアサーバ１と送受信することなくエリアを判定することができる。特に、位置検出手段としてＧＰＳを用いる場合にはキャリアサーバ１側とのアクセスが不要になる。エリアデータベースのデータを携帯電話機の記憶部２２に記憶する場合には、必要とされる領域のエリアデータを予め入力しておく必要がある。この場合、登録処理により必要とされる領域のエリアデータをダウンロードして記憶部２２に保存する態様が好ましい。
【００７３】
なお、本発明の無線通信端末及び無線通信システムは、上述の実施の形態に限定されるものではなく、本発明の要旨を逸脱しない範囲内において種々変更を加え得ることは勿論である。例えば、無線移動端末として携帯電話機等の移動端末としているが、携帯電話機に限らず情報機器機能を持った又はその融合された装置に適用可能である。また、データ送受信のできる装置として、パソコンに代表される情報機器機能に融合された装置であってもよく、全てのシステムに適用可能である。また、送受信データの内容はどのようなものであってもよい。
【００７４】
また、上記無線通信端末及び無線通信システムを構成する各処理部等の種類、設定情報の種類・形式などは前述した実施形態に限られない。
また、本実施の形態では無線通信端末及び無線通信システムという名称を用いたが、これは説明の便宜上であり、移動端末、通信端末装置等であってもよい。同様に、ネットワークサーバは、商用のコンテンツ情報を配信するサーバであってもよい。
【００７５】
さらに、上記サーバ、クライアントを構成するシステムの制御装置、記憶装置等の種類、データベースに記憶されるデータの種類などは前述した実施の形態に限られない。無線通信端末に用いられる移動通信方式は、ＴＤＭＡ方式、ＣＤＭＡ方式等どのような方式でもよく、位置情報取得機能は、ＰＨＳ・携帯電話の基地局等ユーザ端末に対して現在位置情報を与え、相手端末と接近確認から位置を検出する方法のほか、ＧＰＳを用いたものでもよい。
【００７６】
以上説明した無線通信端末及び無線通信システムは、この無線通信端末及び無線通信システムを機能させるためのプログラムでも実現される。このプログラムはコンピュータで読み取り可能な記録媒体に格納されている。本発明では、この記録媒体として、メインメモリそのものがプログラムメディアであってもよいし、また外部記憶装置としてプログラム読み取り装置が設けられ、そこに記録媒体を挿入することで読み取り可能なプログラムメディアであってもよい。いずれの場合においても、格納されているプログラムはＣＰＵがアクセスして実行させる構成であってもよいし、あるいはいずれの場合もプログラムを読み出し、読み出されたプログラムは、図示されていないプログラム記憶エリアにダウンロードされて、そのプログラムが実行される方式であってもよい。このダウンロード用のプログラムは予め本体装置に格納されているものとする。
【００７７】
ここで、上記プログラムメディアは、本体と分離可能に構成される記録媒体であり、磁気テープやカセットテープ等のテープ系、フロッピー（登録商標）ディスクやハードディスク等の磁気ディスクやＣＤ−ＲＯＭ／ＭＯ／ＭＤ／ＤＶＤ等の光ディスクのディスク系、ＩＣカード／光カード等のカード系、あるいはマスクＲＯＭ、ＥＰＲＯＭ、ＥＥＰＲＯＭ、フラッシュＲＯＭ等による半導体メモリを含めた固定的にプログラムを担持する媒体であってもよい。
【００７８】
さらに、図示されていないが、外部の通信ネットワークとの接続が可能な手段を備えている場合には、その通信接続手段を介して通信ネットワークからプログラムをダウンロードするように、流動的にプログラムを担持する媒体であってもよい。なお、このように通信ネットワークからプログラムをダウンロードする場合には、そのダウンロード用プログラムは予め本体装置に格納しておくか、あるいは別な記録媒体からインストールされるものであってもよい。なお、記録媒体に格納されている内容としてはプログラムに限定されず、データであってもよい。
【００７９】
【発明の効果】
以上、詳述したように、本発明によれば、待ち受け時間（消費電力）の悪化やユーザの能動的な行動を要求することなく、かつハード的な追加を行うことなくキャリア以外のローカルネットワークを確実に受信することができる。
【図面の簡単な説明】
【図１】本発明の実施の形態の無線通信システムの基本構成を示す図である。
【図２】本実施の形態の携帯電話機の構成を示すブロック図である。
【図３】本実施の形態の無線通信システムのアクセスポイントＡＰが設置されるレジスタの通信部の構成を示すブロック図である。
【図４】本実施の形態の無線通信システムの情報配信サービスサーバの構成を示すブロック図である。
【図５】本実施の形態の無線通信システムのキャリアサーバの構成を示すブロック図である。
【図６】本実施の形態の無線通信システムのエリアデータベース（ＤＢ）の構成を示す図である。
【図７】本実施の形態の無線通信システムのＢｌｕｅｔｏｏｔｈサービス受信可能エリアを告知する無線通信端末の動作を示すフローチャートである。
【図８】本実施の形態の無線通信システムのＢｌｕｅｔｏｏｔｈサービス受信可能エリアを告知する無線通信端末の動作を示すフローチャートである。
【符号の説明】
１  キャリアサーバ
２  キャリア網
３  基地局
４  情報配信サービスサーバ（情報提供装置）
５  高速専用通信回線
６  アクセスポイントＡＰ（Ａｃｃｅｓｓ＃Ｐｏｉｎｔ）
７  ネットワーク網
１０  カメラ付き携帯電話機（無線通信端末）
２１，４１，６１，７１  主制御部（判別手段，制御手段）
２２，４２  記憶部
２３，２８，４３  アンテナ
２４，４４  ＲＦ無線部
２５，４５  通信制御部
２６，４６  電源部
２７，４７  電源制御部
２９，４９  Ｂｌｕｅｔｏｏｔｈ無線部（通信手段）
３０，５０  Ｂｌｕｅｔｏｏｔｈ通信制御部
３１  位置情報取得部（位置検出手段）
３２  マイク
３３  スピーカ
３４  通話制御部
３５，５２，６４  表示部
３６，５３，６５  表示制御部
３７，５４，６６  操作部
３８  撮像部
３９  撮像制御部
４０  レジスタ（金銭登録機）
４１  主制御部
５１，６２，７２  回線インタフェース
６３  コンテンツデータベース
７０  メインサーバ
７３，８３  データ送受信部
７４  管理データベース（ＤＢ）
７５  位置情報データベース
８０  サービスサーバ
８１  制御部
８２  通信インタフェース
８４  エリアデータベース（ＤＢ）（エリア記憶手段）
８５  履歴データベース（ＤＢ）（エリア記憶手段）
９１  データ受信可能なエリア名
９２  エリア位置（東経，北緯，有効半径）
９３  エリア内アクセスポイント
９４  ネットワーク種別
【図１】
2004350108.tif 000003
【図２】
2004350108.tif 000004
【図３】
2004350108.tif 000005
【図４】
2004350108.tif 000006
【図５】
2004350108.tif 000007
【図６】
2004350108.tif 000008
【図７】
2004350108.tif 000009
【図８】
2004350108.tif 000010